【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
復号デバイスによって実施される符号化方法であって、
前記復号デバイスによって、現在のブロックの予測方向を決定するステップと、
前記復号デバイスによって、前記予測方向に沿った伝播距離を決定するステップであって、前記伝播距離が、前記現在のブロックにおける予測対象の画素と前記現在のブロックに隣接する参照サンプルとの間で測定される、ステップと、
前記復号デバイスによって、前記伝播距離に基づいて、複数のフィルタ係数のうちの1つを選択するステップと、
前記復号デバイスによって、フィルタおよび選択された、前記複数のフィルタ係数のうちの1つを使用して、前記現在のブロックにおける前記画素を予測するステップと、
電子デバイスのディスプレイ上に、予測された前記画素を含む画像を表示するステップと、
を含む、方法。
【請求項２】
選択された、前記フィルタ係数のうちの1つの強度が、決定された前記伝播距離に基づく、請求項1に記載の方法。
【請求項３】
前記複数のフィルタ係数が、弱から強までのフィルタ係数の範囲を含む、請求項1または2に記載の方法。
【請求項４】
前記フィルタ係数の範囲が、より短い伝播距離に対応するより弱いフィルタ係数と、より長い伝播距離に対応するより強いフィルタ係数と、を含む、請求項3に記載の方法。
【請求項５】
前記予測方向が水平または垂直である、請求項1から4のいずれか一項に記載の方法。
【請求項６】
前記予測方向が斜めである、請求項1から4のいずれか一項に記載の方法。
【請求項７】
前記フィルタが平滑化フィルタである、請求項1から6のいずれか一項に記載の方法。
【請求項８】
前記フィルタが鮮鋭化フィルタである、請求項1から6のいずれか一項に記載の方法。
【請求項９】
伝播距離の範囲を前記複数のフィルタ係数にマッピングするテーブルを前記復号デバイスのメモリに格納するステップをさらに含む、請求項1から8のいずれか一項に記載の方法。
【請求項１０】
符号化デバイスによって実施される符号化方法であって、
前記符号化デバイスによって、現在のブロックの予測方向を決定するステップと、
前記符号化デバイスによって、前記予測方向に沿った伝播距離を決定するステップであって、前記伝播距離が、前記現在のブロックにおける予測対象の画素と前記現在のブロックに隣接する参照サンプルとの間で測定される、ステップと、
前記符号化デバイスによって、前記伝播距離に基づいて、複数のフィルタ係数のうちの1つを選択するステップと、
前記符号化デバイスによって、フィルタおよび選択された、前記複数のフィルタ係数のうちの1つを使用して、前記現在のブロックにおける前記画素を予測するステップと、
前記符号化デバイスによって、前記画素を含む画像を含むビットストリームを、前記ビットストリームを復号するように構成された復号デバイスに送信するステップと、
を含む、方法。
【請求項１１】
選択された、前記フィルタ係数のうちの1つの強度が、決定された前記伝播距離に基づく、請求項10に記載の方法。
【請求項１２】
前記複数のフィルタ係数が、弱から強までのフィルタ係数の範囲を含む、請求項10または11に記載の方法。
【請求項１３】
前記フィルタ係数の範囲が、より短い伝播距離に対応するより弱いフィルタ係数と、より長い伝播距離に対応するより強いフィルタ係数と、を含む、請求項12に記載の方法。
【請求項１４】
前記予測方向が斜めである、請求項10から13のいずれか一項に記載の方法。
【請求項１５】
前記フィルタが平滑化フィルタである、請求項10から14のいずれか一項に記載の方法。
【請求項１６】
前記フィルタが鮮鋭化フィルタである、請求項10から14のいずれか一項に記載の方法。
【請求項１７】
符号化デバイスからのビットストリームを受信するように構成された受信機であって、前記ビットストリームが画像を含む、受信機と、
前記受信機に結合されたプロセッサであって、前記プロセッサが、
前記画像内から現在のブロックを選択し、
前記現在のブロックの予測方向を決定し、
前記予測方向に沿った伝播距離を決定し、前記伝播距離が、前記現在のブロックにおける予測対象の画素と前記現在のブロックに隣接する参照サンプルとの間で測定され、
前記伝播距離に基づいて、複数のフィルタ係数のうちの1つを選択し、
フィルタおよび選択された、前記複数のフィルタ係数のうちの1つを使用して、前記現在のブロックにおける前記画素を予測する
ように構成される、プロセッサと、
前記プロセッサに動作可能に結合されたディスプレイであって、前記ディスプレイが、予測された前記画素を含む画像を表示するように構成される、ディスプレイと、
を備える、復号デバイス。
【請求項１８】
選択された、前記フィルタ係数のうちの1つの強度が、決定された前記伝播距離に基づく、請求項17に記載の復号デバイス。
【請求項１９】
前記複数のフィルタ係数が、弱から強までのフィルタ係数の範囲を含み、前記フィルタ係数の範囲が、より短い伝播距離に対応するより弱いフィルタ係数と、より長い伝播距離に対応するより強いフィルタ係数と、を含む、請求項17または18に記載の復号デバイス。
【請求項２０】
前記プロセッサに結合されたメモリであって、前記メモリが、伝播距離の範囲を前記複数のフィルタ係数にマッピングするテーブルを格納するように構成される、メモリをさらに備える、請求項17から19のいずれか一項に記載の復号デバイス。
【手続補正２】
【補正対象書類名】明細書
【補正対象項目名】０００２
【補正方法】変更
【補正の内容】
【０００２】
本発明は、ビデオ圧縮の技術に関し、詳細には、ビデオを符号化するためのイントラ予測に関する。
【手続補正３】
【補正対象書類名】明細書
【補正対象項目名】０００３
【補正方法】削除
【補正の内容】
【手続補正４】
【補正対象書類名】明細書
【補正対象項目名】００５９
【補正方法】変更
【補正の内容】
【００５９】
ITU−T H．264／AVCビデオ符号化規格と同様に、HEVC／H．265ビデオ符号化規格は、ソースピクチャをブロック、例えばCUに分割することを提供する。CUのそれぞれは、より小さなCUまたはPUにさらに分割され得る。PUは、PUの画素に適用される処理の種類に応じて、イントラ予測またはインター予測され得る。インター予測の場合、PUは、PUに指定された動きベクトルを使用した動き補償によって処理される画素の領域を表す。イントラ予測の場合、PUは、TUのセットの予測モードを指定する。TUは異なるサイズ（例えば、4×4、8×8、16×16、および32×32画素）を有することができ、様々な仕方で処理され得る。TUの場合、変換符号化が実行される、つまり、予測誤差が、DTで変換され、量子化される。従って、再構成された画素は、予測精度に影響を与え得る、量子化ノイズおよびブロッキングアーティファクトを含む。
【手続補正５】
【補正対象書類名】明細書
【補正対象項目名】００７５
【補正方法】変更
【補正の内容】
【００７５】
フィルタのシーケンス510は、1つ以上の一次パラメータおよび1つ以上の二次パラメータにより構成可能である。例えば、フィルタのシーケンス510の第1のフィルタセットは一次パラメータによって構成可能であり、フィルタのシーケンス510の第2のフィルタセットは二次パラメータによって構成可能であり得る。一次パラメータおよび二次パラメータは、予測ユニットのサイズ、予測されるブロックのサイズ、イントラ予測モード、マルチパラメータイントラモードインデックス、および／または参照サンプルフィルタリングフラグのうちの1つまたは複数であり得る。一実施形態では、第1のフィルタセットと第2のフィルタセットとは重複する。
【手続補正６】
【補正対象書類名】明細書
【補正対象項目名】００９７
【補正方法】変更
【補正の内容】
【００９７】
一実施形態では、選択されたイントラ予測モードと、フィルタのシーケンスのパラメータ値を導出するために使用された隣接BUの位置と、の間の依存性に基づいて、事前予測フィルタパラメータがマージされ得る。図11〜図12は、それぞれ、垂直または略垂直ならびに水平または略水平の方向モードでの事前予測フィルタパラメータをマージするためのメカニズムを示している。